(57)【特許請求の範囲】
【請求項１】
空気を取り入れ、建築物の内部に、所要の温度及び湿度に調整した清浄空気を送風する送風装置において、
（ａ）上記装置の長手方向の一方の端面に、清浄空気を正圧で送風し、上記送風装置内を負圧に維持する送風機を設け、
（ｂ）上記装置の長手方向の他方の端面に、上記送風装置内に空気を取り入れる通風扉を設け、
（ｃ）通風扉と送風機の間の空間を、通気扉の側から、（c1）ミスト発生器を備えるミスト空間、（c2）空気清浄機を備えるクリーン空間、及び、（c3）冷暖房パネルを備える調温空間の３つの空間に区分し、
（ｄ）通気扉から取り入れる空気を、上記３つの空間を通過する間に、清浄化、除加湿、調温し、
（ｅ）上記装置の側壁を通気孔付き外断熱材で構成するとともに、床をモルタル仕上げとする、
ことを特徴とする細霧式除加湿調温送風装置。
【請求項２】
上記３つの空間が、気化熱発生フィルター及び／又は冷暖房パネルで区分されていることを特徴とする請求項１に記載の細霧式除加湿調温送風装置。
【請求項３】
前記冷暖房パネルが、不凍液式冷暖房パネルであることを特徴とする請求項１又は２に記載の細霧式除加湿調温送風装置。
【発明の詳細な説明】
【技術分野】
【０００１】
本発明は、清浄にし、かつ、必要な温度・湿度に調整した空気を、建築物の内部に送り込む装置に関するものである。
【背景技術】
【０００２】
高温多湿の夏季には空気調和機が必要であり、これまで、除加湿機能を備える空気調和機が数多く開示されている（例えば、特許文献１〜４、参照）。
【０００３】
特許文献１には、通風孔を有する吸着材を使用した除加湿機能付空気調和機が開示されている。特許文献２には、加湿フィルター及び吸湿フィルターを用いた除加湿装置が開示されている。特許文献３には、吸着剤による除湿及び加湿機能を有する空気調和機が開示されている。また、特許文献４には、除湿手段と加湿手段を備え、室の状態に応じて除加湿を行う換気空調システムが開示されている。
【０００４】
吸着材（剤）やフィルターは、除加湿能力に限界があり、また、再生処理を必要とするので、吸着材（剤）やフィルターを用いる除加湿装置を大型化するのは難しい。また、室の状態に応じて除加湿を行う換気空調システムは、室が大きくなると、換気空調システムが充分に機能しない場合がある。
【０００５】
近年、建築物の大型化に伴い、除加湿又は換気空調の対象空間が拡大するが、従来の除加湿装置又は換気空調システムでは、能力に限界があり、充分に対処し得ないのが実情である。
【先行技術文献】
【特許文献】
【０００６】
【特許文献１】特開平０５−１６８８４１号公報
【特許文献２】特開２００８−１７５４２４号公報
【特許文献３】特開２００８−２５６３０７号公報
【特許文献４】特開２００９−００２５７９号公報
【発明の概要】
【発明が解決しようとする課題】
【０００７】
本発明は、従来の除加湿装置及び空調システムの実情に鑑み、建築物の内部空間を対象とする清浄・除加湿・調温システムを提供することを目的とする。
【課題を解決するための手段】
【０００８】
本発明者らは、上記システムを実現する手段について鋭意検討した。本発明は、その結果なされたもので、その要旨は以下のとおりである。
【０００９】
（１）空気を取り入れ、建築物の内部に、所要の温度及び湿度に調整した清浄空気を送風する送風装置において、
（ａ）上記装置の長手方向の一方の端面に、清浄空気を正圧で送風し、上記送風装置内を負圧に維持する送風機を設け、
（ｂ）上記装置の長手方向の他方の端面に、上記送風装置内に空気を取り入れる通風扉を設け、
（ｃ）通風扉と送風機の間の空間を、通気扉の側から、（c1）ミスト発生器を備えるミスト空間、（c2）空気清浄機を備えるクリーン空間、及び、（c3）冷暖房パネルを備える調温空間の３つの空間に区分し、
（ｄ）通気扉から取り入れる空気を、上記３つの空間を通過する間に、清浄化、除加湿、調温し、
（ｅ）上記装置の側壁を通気孔付き外断熱材で構成するとともに、床をモルタル仕上げとする、
ことを特徴とする細霧式除加湿調温送風装置。
【００１０】
（２）上記３つの空間が、気化熱発生フィルター及び／又は冷暖房パネルで区分されていることを特徴とする前記（１）に記載の細霧式除加湿調温送風装置。
【００１１】
（３）前記冷暖房パネルが、不凍液式冷暖房パネルであることを特徴とする前記（１）又は（２）に記載の細霧式除加湿調温送風装置。
【発明の効果】
【００１２】
本発明によれば、建築物内部の空調を低コストで行うことができる。
【図面の簡単な説明】
【００１３】
【図１】本発明の平面態様を示す図である。
【図２】本発明の側面態様を示す図である。
【発明を実施するための形態】
【００１４】
本発明について図面に基づいて説明する。図１に、本発明の細霧式除加湿調温送風装置（以下「本発明装置」という。）の平面態様を示し、図２に、本発明装置の側面態様を示す。
【００１５】
本発明装置は、基礎２の上に所要寸法の箱型有蓋空間を有し、長手方向端面（図中、左側）に、本発明装置に連絡する建築物内部に、所要の温度と湿度の清浄空気（清浄化、及び、温度と湿度の調整については後述する。）を送り込む送風機１を備えている。
【００１６】
送風機１を稼動することで、建築物内部は、大気圧より高い正圧の状態に維持され、一方、本発明装置の内部は、大気圧より低い負圧の状態に維持される。
【００１７】
なお、送風機１は、建築基準法で定める第一種換気方式の送風側機械装置として機能するので、送風機１の送風容量は、建築物に求められる法定換気量との関係をも考慮して決定する。
【００１８】
本発明装置の内部が負圧の状態であるので、内部と外部の圧力差で、外気が通気扉７を通して、装置内部に入り込む。
【００１９】
本発明装置の内部空間は、通気扉７の側から、気化熱発生フィルター１１又は冷暖房パネル１２で、(a)ミスト発生器９が発生する細霧が充満しているミスト空間８、(b)空気清浄機を適宜の台数備えたクリーン空間１３、及び、(c)冷暖房パネル１２で空気の温度を調節する調温空間１４に区分されている。なお、冷暖房パネルは、不凍液式冷暖房パネルが好ましい。
【００２０】
そして、通気扉７から装置内部に入り込んだ空気は、上記３つの空間を通過する間に、清浄化され、除加湿され、次いで、調温されて、送風機１から、建築物内部に送り込まれる。
【００２１】
通気扉７の内側は、ミスト空間８と連続しているので、通気扉７の装置側のフィルター面は、適度な湿分を含んでいて、そこを外気が通過するとき、湿分の気化熱の影響を受けて、外気の温度は２〜３℃程度低下する。
【００２２】
なお、通気扉７は、通常、４枚の扉で構成するが、扉の枚数は、装置の規模に応じて、適宜、設定すればよい。
【００２３】
ミスト空間８には、ミスト発生器９で細霧が充満しているので、通気扉７から入り込んだ空気中に浮遊する細かい塵埃等は、細霧の表面に付着する。そして、次のクリーン空間１３に向かう気流にのって運ばれ、気化熱発生フィルター１１に接触し、塵埃等が除去されるとともに、気化熱の影響で、気流の温度が２〜３℃程度低下する。さらに、空気中の塵埃、花粉、細菌、ウィルス、カビの胞子類等が、直接、気化熱発生フィルター１１に付着して除去される。
【００２４】
除塵された気流は、次のクリーン空間１３に流れ込み、まず、冷暖房パネル１２に接触する。冷暖房パネル１２は、外気温度により、必要な温度帯の冷温水を、常時、送水するシステムを備えている。
【００２５】
それ故、冷暖房パネル１２は、温度帯で含水量が異なる湿度を、夏季には、１５〜２０℃の冷却水を循環して、気流中に含まれる湿分を結露させて低減する。一方、暖房時には、温水温度が３０〜４５℃と高いので、含水量が増加して湿度が高くなる。結露などで発生した水滴類は、排水口３から外部に排水される。
【００２６】
気流は、冷暖房パネル１２に接触しながら、空気清浄機１０を設置したクリーン空間１３の内部に進む。空気清浄機１０は、フィルター、負イオン、光触媒などの機能で、塵埃、有機物、ガス類等を分解除去する能力を保持しているので、空気は、クリーン空間１３で、極めて清浄な気流に変化する。
【００２７】
次に、気流は、調温空間１４に流入する。調温空間１４には、冷暖房パネル１２が、適宜の枚数、設置されていて、温度及び湿度を調整するセンサー類により、適切な温度・湿度管理がなされている。適切な温度・湿度管理がなされた気流は、送風機１から、本発明装置に連絡する建築物内部に送給される。したがって、建築物の内部には、本発明装置により、極めて清浄で、かつ、適温、適湿度の空気が、常時、一定量送り込まれることになる。
【００２８】
建築物内部には、本発明装置により、建築物内部の気圧を正圧に保ちながら、極めて清浄で、かつ、適温、適湿度の空気が、常時、一定量送り込まれるので、建築物内部における空調は、特に必要がない。建築物内部に冷暖房空調機が設置されていても、冷暖房空調機は、設定温度との誤差を調整する程度に稼動するだけですむので、冷暖房費を大きく削減することが可能となる。
【００２９】
本発明装置は、清浄化機能、及び、除加湿・調温機能の他、外断熱による保温・保湿機能を備えている。以下、説明する。
【００３０】
本発明装置においては、装置の側壁を、通気孔付き外断熱材４で構成し、通年で、外気温度の影響を受け難い構造とすることが好ましい。また、通気孔付き外断熱材４の機能を更に有効に機能させるために、装置の側壁を、重量ブロック５と、その外側に貼り付けた通気孔付外断熱材４で構成する。さらに、床をモルタル仕上げ６にする。このように、本発明装置を構成すると、装置の躯体部分が、保温及び保湿の機能を備えることにな。
【００３１】
通気孔付き外断熱材４、重量ブロック５、及び、モルタル仕上げ６を一体化することで、装置躯体部分が持つ体積全般に、熱量と水分を蓄えることが可能となる。それ故、本発明装置は、冷暖房を行わない状態で、外気温度が３０℃を超えていても、装置内の温度が２３℃前後に維持され、また、外気温度が氷点下でも、装置内の温度が１６℃程度に維持され、湿度については、通年で、５５％程度に維持される構造となっている。
【００３２】
従来の換気空調ユニットは、金属製であるので、外気温度や太陽光の影響を受け易く、建築物内部に、夏は熱風、冬は冷風を送り込むことになる。そのため、建築物内部では、外気を室内温度に調和させるために、冷暖房装置を長時間稼動することになる。
【００３３】
その結果、非常に大量の電気エネルギー又は化石燃料を使用することを余儀なくされるが、本発明装置は、自然エネルギーを利用して、構造的に冷暖房エネルギーを作り出す仕組みで機能するものである。
【００３４】
本発明装置の屋根は、当然に、防水屋根１５とするが、通気孔付き笠木１６を間に敷くとより好ましい。本発明装置の基礎２は、コンクリート床が好ましいが、その上に、通気孔付き水切り１７を設けると、より好ましい。なお、本発明装置は、工場内で製造される場合が多く、目的地まで運搬し、据付けるために、基礎２には、ロープ牽引のための移動用フック１８が取り付けられている。
【実施例】
【００３５】
次に、本発明の実施例について説明するが、実施例での条件は、本発明の実施可能性及び効果を確認するために採用した一条件例であり、本発明は、この一条件例に限定されるものではない。本発明は、本発明の要旨を逸脱せず、本発明の目的を達成する限りにおいて、種々の条件を採用し得るものである。
【００３６】
（実施例）
本発明装置を用いて、６〜９月の期間（外気の温度：１５〜３８℃、湿度：３０〜９０％）、建築物（コンビニ）に、温度２０℃、湿度３０％の清浄空気を送風した。
【産業上の利用可能性】
【００３７】
前述したように、本発明によれば、建築物内部の広い空間の換気空調を充分に行うことができる。よって、本発明は、建築産業において利用可能性が高いものである。
【符号の説明】
【００３８】
１    送風機
２    基礎
３    排水口
４    通気孔付き外断熱材
５    重量ブロック
６    モルタル仕上げ
７    通風扉
８    ミスト空間
９    ミスト発生器
１０    空気清浄機
１１    気化熱発生フィルター
１２    冷暖房パネル
１３    クリーン空間
１４    調温空間
１５    防水屋根
１６    通気孔付き笠木
１７    通気孔付き水切り
１８    移動用フック
【図１】
0005627308.tif 000002
【図２】
0005627308.tif 000003